(57)【特許請求の範囲】
【請求項１】
光源と、光学系と、を有し、
前記光源は、第１の光源領域と、第２の光源領域と、第３の光源領域とを有し、
前記第１乃至前記第３の光源領域は、前記光源の短軸方向に分割されて配置され、且つ前記光源の長軸方向にのびる帯状の領域であり、
第１の期間において、前記第１の光源領域では第１の光が点灯し、前記第２の光源領域では第２の光が点灯し、前記第３の光源領域では第３の光が点灯し、
前記第１の期間に続く第２の期間において、前記第１の光源領域では前記第３の光が点灯し、前記第２の光源領域では前記第１の光が点灯し、前記第３の光源領域では前記第２の光が点灯し、
前記第１の光と、前記第２の光と、前記第３の光とは、互いに異なり、
前記光学系は、前記光源の前記第１乃至前記第３の光源領域から光が照射される各領域において、前記各領域の短軸方向及び長軸方向に対して光の強度の分布を狭める機能を有することを特徴とするライトユニット。
【請求項２】
請求項１において、
拡散シートを有し、
前記光学系は、前記光源と前記拡散シートとの間に位置することを特徴とするライトユニット。
【請求項３】
請求項１または請求項２に記載のライトユニットを有することを特徴とする表示装置。
【発明の詳細な説明】
【技術分野】
【０００１】
本発明は、バックライトユニットに関する。本発明は、バックライトユニットを有する表示装置に関する。本発明は、バックライトユニットを有する表示装置を備えた電子機器に関する。
【背景技術】
【０００２】
表示装置は、液晶表示装置に代表されるように、テレビ受像機などの大型表示装置から携帯電話などの小型表示装置に至るまで、普及が進んでいる。今後は、より付加価値の高い製品が求められており開発が進められている。近年では、地球環境への関心の高まり、及びモバイル機器の利便性向上の点から、低消費電力型の表示装置の開発が注目されている。
【０００３】
低消費電力型の表示装置として、フィールドシーケンシャル方式（色順次表示方式、時間分割表示方式、継時加法混色表示方式とも呼ばれる）で表示を行う表示装置がある。フィールドシーケンシャル方式は、赤（以下Ｒと略記することもある）、緑（以下Ｇと略記することもある）、青（以下Ｂと略記することもある）のバックライトの点灯を時間的に切り替えてＲＧＢの光を表示パネルに供給し、加法混色によりカラー表示を視認する。そのため、各画素にカラーフィルタを設ける必要がなく、バックライトからの透過する光の利用効率を高めることができ、低消費電力化を実現できる。またフィールドシーケンシャル方式で表示を行う表示装置は１つの画素でＲ、Ｇ、Ｂを表現することができるため、高精細化が容易であるといった利点がある。
【０００４】
フィールドシーケンシャル方式による駆動では、色割れ（カラーブレイクとも呼ばれる）といった特有の表示不良の問題がある。色割れの問題は、一定期間内での画像信号の書き込み回数を増やすことで、低減できることが知られている。
【０００５】
特許文献１及び非特許文献１では一定期間内での画像信号の書き込み回数を増やすために、フィールドシーケンシャル方式により表示を行う液晶表示装置において、表示領域を複数の領域に分割し、対応するバックライトユニットも複数の領域に分割する構成について開示している。
【先行技術文献】
【特許文献】
【０００６】
【特許文献１】特開２００６−２２０６８５号公報
【非特許文献】
【０００７】
【非特許文献１】Ｗｅｎ−Ｃｈｉｈ  Ｔａｉ，他６名  「Ｆｉｅｌｄ  Ｓｅｑｕｅｎｔｉａｌ  Ｃｏｌｏｒ  ＬＣＤ−ＴＶ  Ｕｓｉｎｇ  Ｍｕｌｔｉ−Ａｒｅａ  Ｃｏｎｔｒｏｌ  Ａｌｇｏｒｉｔｈｍ」，ＳＩＤ’０８  ＤＩＧＥＳＴ，ｐｐ．１０９２−１０９５
【発明の概要】
【発明が解決しようとする課題】
【０００８】
特許文献１及び非特許文献１の構成では表示領域を、異なる色の画像信号が供給される複数の領域に分割して、フィールドシーケンシャル方式の駆動を行う。そして表示領域の複数の領域に対応するバックライトユニットも複数の領域に分割し、バックライトユニットの隣接する領域で異なる色による発光が行われる。このとき、バックライトユニットの隣接する領域より射出される異なる色の光が、表示領域の隣接する領域に漏洩することによる表示不良がおこってしまう。
【０００９】
なお当該表示不良は、バックライトユニットにおける異なる色の光が混色して視認されるため、以下混色問題ということにする。また、表示領域を隣接する領域が互いに異なる色の画像信号が供給される複数の領域に分割し、且つ表示領域の複数の領域に対応するバックライトユニットの光源部も複数の光源領域に分割してフィールドシーケンシャル方式による駆動を行う際のバックライトユニットの駆動を、カラースキャンバックライト駆動（またはスキャンバックライト駆動）ということにする。カラースキャンバックライト駆動では、複数の光源領域における隣接する光源領域で異なる色による光源の発光がなされることとなる。
【００１０】
図９（Ａ）乃至（Ｃ）を用いて混色問題について説明する。図９（Ａ）ではバックライトユニットの構成について示している。図９（Ａ）では、バックライトユニット９００として光源部９０１、発光面９０２及び拡散シート９０３を示している。なお発光面９０２とは、光源部９０１からの光が拡散シート９０３を透過して表示領域に射出される際に、複数の領域に分割される様子を模式的に示したものであり、実際には拡散シート９０３の表面に相当する。
【００１１】
なお図９（Ａ）では図示していないが、バックライトユニット９００には表示素子を有する素子基板が重畳して設けられる。素子基板は、例えば液晶表示装置であれば、表示素子である液晶素子によるバックライトユニットからの光の透過または非透過を制御するためのトランジスタがマトリクス状に設けられる領域を有し、当該領域が表示領域として機能することとなる。
【００１２】
図９（Ａ）に示す光源部９０１には、加法混色により白色が得られる色の組み合わせとなる光源９１１がマトリクス状に複数設けられる。また光源部９０１において、表示領域の複数の領域に対応する複数の光源領域を、第１の光源領域９１２、第２の光源領域９１３及び第３の光源領域９１４として例示している。また光源部９０１において、光源９１１の加法混色により白色が得られる組み合わせの光源として、赤色（Ｒ）の発光ダイオード９１５、緑色（Ｇ）の発光ダイオード９１６及び青色（Ｂ）の発光ダイオード９１７を例示している。
【００１３】
図９（Ａ）に示す発光面９０２には、光源部９０１における第１の光源領域９１２、第２の光源領域９１３及び第３の光源領域９１４に対応する領域として、第１の領域９２１、第２の領域９２２及び第３の領域９２３を示している。発光面９０２では、例えば第１の光源領域９１２が赤色（Ｒ）の発光ダイオード９１５の点灯、第２の光源領域９１３が緑色（Ｇ）の発光ダイオード９１６の点灯、第３の光源領域９１４が青色（Ｂ）の発光ダイオード９１７の点灯とすることで、第１の領域９２１が赤色の発光、第２の領域９２２が緑色の発光、第３の領域９２３が青色の発光を得るものとなる。
【００１４】
次いで図９（Ｂ）では、発光面９０２での第１の領域９２１、第２の領域９２２及び第３の領域９２３を示しており、矩形状の各領域において長軸方向９３１、短軸方向９３２とすることを表している。
【００１５】
図９（Ａ）の光源９１１より射出される光は、当該光の強度の分布が等方的に広がって、さらに拡散シート９０３により均一に広がって発光面９０２での第１の領域９２１、第２の領域９２２及び第３の領域９２３を形成することとなる。従って図９（Ｃ）に模式的に示すように第１の領域９２１、第２の領域９２２及び第３の領域９２３の境界では、混色領域９４１が形成されてしまう。光源部９０１における光源９１１の長軸方向９３１の配置数より短軸方向９３２の配置数を削減したとしても、光源９１１より射出される光が等方的に広がるため、混色領域９４１が形成されてしまう。
【００１６】
なおここでいう光の強度とは、光源より射出される光の単位面積あたりの光束に相当する。光の強度は、光源から遠ざかると光学系による補正がなければ、光源を中心に等方的に広がり、正規分布（ガウス分布）に従った分布（プロファイル）で減衰するものとする。
【００１７】
なお分布とは、光源を中心にした光の強度の長軸方向９３１（または短軸方向９３２）における断面での様子に相当する。光の強度の分布は光源から等方的に広がるため、長軸方向及び短軸方向であっても、特に補正をしなければ光源からの距離が遠ざかることで強度が小さくなるものである。
【００１８】
また図９（Ｃ）に示した混色領域９４１となりうる領域に対応した光源部９０１における第１の光源領域９１２、第２の光源領域９１３及び第３の光源領域９１４の光源９１１を予め消灯して混色領域９４１による表示不良を低減することもあり得る。この場合、光源９１１を予め消灯した領域に、当該消灯した領域に隣接する光源９１１からの光の漏洩が起こってしまう。また混色領域９４１をなくすために混色領域９４１に対応する光源９１１を消灯する構成は、光源９１１を一部消灯することによる輝度の低下が懸念され、好ましくない。従って混色領域９４１に対応する光源９１１を消灯する構成では、別の表示不良が起こってしまい、混色問題による表示不良を払拭するには至らない。
【００１９】
そこで本発明の一態様は、カラースキャンバックライト駆動を行うバックライトユニットの構成において、混色問題を低減できる新規な構成を提案することを課題の一とする。
【課題を解決するための手段】
【００２０】
本発明の一態様は、カラースキャンバックライト駆動を行うバックライトユニットの構成において、光源からの光により混色領域が形成されないように、異方的に広がるよう光学系を光源と拡散シートとの間に設ける構成とする。具体的には、光源と拡散シートとの間に設ける光学系により短手方向（短軸方向）への光の強度の分布を狭めるようにする。また当該光学系により長手方向（長軸方向）への光の強度の分布が均一化されるようにする。そして、混色領域が形成される短軸方向への光源の光の広がりを抑制し、且つ長軸方向における発光面での輝度の均一化を図れる構成とする。
【００２１】
本発明の一態様は、表示素子を有する素子基板に重畳して設けられた、複数色の光源がマトリクス状に設けられた光源部を有するバックライトユニットにおいて、光源部は複数の帯状の光源領域に分割され、当該複数の光源領域毎に素子基板に向けて異なる色の光を射出し、素子基板における帯状に分割された異なる色による表示領域を形成するものであり、素子基板と光源部との間には、光源が射出する光を、帯状に分割された異なる色による表示領域のいずれか一における短軸方向に対して、光の強度の分布を狭めるための光学系を具備するバックライトユニットである。
【００２２】
本発明の一態様は、表示素子を有する素子基板に重畳して設けられた、複数色の光源がマトリクス状に設けられた光源部を有するバックライトユニットにおいて、光源部は複数の帯状の光源領域に分割され、当該複数の光源領域毎に素子基板に向けて異なる色の光を射出し、素子基板における帯状に分割された異なる色による表示領域を形成するものであり、素子基板と光源部との間には、光源が射出する光を、帯状に分割された異なる色による表示領域のいずれか一における短軸方向に対して、光の強度の分布を狭め、且つ長軸方向に対して光の強度の分布を均一化するための光学系を具備するバックライトユニットである。
【００２３】
本発明の一態様において、光学系は、レンチキュラーレンズであるバックライトユニットでもよい。
【００２４】
本発明の一態様において、光源部は、光学系と光学系により光の強度が補正された光を拡散するための拡散シートとを間に介して、素子基板に重畳して設けられるバックライトユニットでもよい。
【００２５】
本発明の一態様において、複数の光源領域にはそれぞれ、カラー表示を行うための複数の色のいずれか一が対応し、隣接する光源領域が互いに異なる色となるバックライトユニットでもよい。
【００２６】
本発明の一態様において、カラー表示を行うための複数の色は、赤色、緑色及び青色であるバックライトユニットでもよい。
【００２７】
本発明の一態様において、カラー表示を行うための複数の色は、赤色、緑色及び青色にシアン色、マゼンタ色または黄色を加えたバックライトユニットでもよい。
【００２８】
本発明の一態様において、光源は、発光ダイオードであるバックライトユニットでもよい。
【発明の効果】
【００２９】
本発明の一態様によれば、カラースキャンバックライト駆動を行うバックライトユニットの構成において、混色問題を低減できる。また、混色問題を低減するとともに、長軸方向における発光面での輝度の均一化を図ることができる。
【図面の簡単な説明】
【００３０】
【図１】本発明の一形態における模式図。
【図２】本発明の一形態における模式図。
【図３】本発明の一形態における模式図。
【図４】本発明の一形態における模式図。
【図５】本発明の一形態におけるブロック図。
【図６】本発明の一形態における上面図及び断面図。
【図７】本発明の一形態における断面図。
【図８】本発明の一形態における電子機器を説明する図。
【図９】本発明の一形態における課題を説明する図。
【図１０】実施例について説明するための図。
【図１１】実施例について説明するための図。
【発明を実施するための形態】
【００３１】
以下、本発明の実施の形態について図面を参照しながら説明する。但し、本発明は多くの異なる態様で実施することが可能であり、本発明の趣旨及びその範囲から逸脱することなくその形態及び詳細を様々に変更し得ることは当業者であれば容易に理解される。従って本実施の形態の記載内容に限定して解釈されるものではない。なお、以下に説明する本発明の構成において、同じ物を指し示す符号は異なる図面間において共通とする。
【００３２】
なお、各実施の形態の図面等において示す各構成の、大きさ、層の厚さ、又は領域は、明瞭化のために誇張されて表記している場合がある。よって、必ずしもそのスケールに限定されない。
【００３３】
なお本明細書にて用いる第１、第２、第３、乃至第ｎ（ｎは自然数）という用語は、構成要素の混同を避けるために付したものであり、数的に限定するものではないことを付記する。
【００３４】
（実施の形態１）
まず、バックライトユニットの構成を説明するための模式図について図１（Ａ）に示す。図１（Ａ）のバックライトユニット１００として光源部１０１、発光面１０２、拡散シート１０３及び光学系１０４を示している。なお発光面１０２とは、光源部１０１からの光が拡散シート１０３及び光学系１０４を透過して表示領域に射出される際に、複数の領域に分割される様子を模式的に示したものであり、実際には拡散シート１０３の表面に相当する。
【００３５】
なお図１（Ａ）では図示していないが、バックライトユニットには表示素子を有する素子基板、すなわち表示領域が重畳して設けられる。素子基板は、例えば液晶表示装置であれば、表示素子である液晶素子によるバックライトユニットからの光の透過または非透過を制御するためのトランジスタがマトリクス状に設けられる領域を有し、当該領域が表示領域として機能することとなる。なお表示素子として光の透過または非透過を制御する素子であればよく、液晶素子の他にも例えばＭＥＭＳ（Ｍｉｃｒｏ  Ｅｌｅｃｔｒｏ  Ｍｅｃｈａｎｉｃａｌ  Ｓｙｓｔｅｍｓ）素子を用いてもよい。また素子基板はバックライトユニットから射出される光が透過するよう透光性を有する基板であることが求められる。
【００３６】
なお本明細書の説明では、素子基板の背面に配置されるバックライトユニット１００から射出される光が素子基板上の表示素子を通過して視認される構成であるとして説明するものである。従って、本実施の形態では、バックライトユニット１００を「バックライト」と称して説明しているが、光を射出する光源の配置によっては「フロントライト」、「サイドライト」と、称することもある。
【００３７】
図１（Ａ）に示す光源部１０１には、加法混色により白色が得られる色の組み合わせとなる複数の光源からなる光源１１１がマトリクス状に複数設けられる。また光源部１０１において、発光面１０２の複数の領域に対応する複数の光源領域を、第１の光源領域１１２、第２の光源領域１１３及び第３の光源領域１１４として例示している。また光源部１０１において、光源１１１の加法混色により白色が得られる組み合わせの光源として、赤色（Ｒ）の発光ダイオード１１５、緑色（Ｇ）の発光ダイオード１１６及び青色（Ｂ）の発光ダイオード１１７を例示している。
【００３８】
光源１１１は、カラー表示を行うための色の組み合わせによる発光を行う素子であればよい。なお発光ダイオード１１５乃至発光ダイオード１１７には、ＲＧＢの発光ダイオードを用いる構成を示しており、他にも有機ＥＬ素子等を用いることが可能である。また光源１１１は光を拡散するための拡散材を混入したエポキシ樹脂等に封入して設ける構成とすることで光が広がる角度の向上を図ることができる。
【００３９】
なお、マトリクス状に配置される光源１１１は必ずしもマトリクス状に配置されている必要はなく、光源部１０１において赤色（Ｒ）の発光ダイオード１１５、緑色（Ｇ）の発光ダイオード１１６及び青色（Ｂ）の発光ダイオード１１７が配置され、カラースキャンバックライト駆動を行うことができれば適宜光源１１１の配置を変更可能である。
【００４０】
また本実施の形態では光源１１１をＲＧＢの３色として説明するが、他の種類の色を組み合わせてもよい。例えばＲＧＢの３色に加え、黄色、マゼンタ色、またはシアン色の発光ダイオード等を用いてもよい。またＲＧＢの３色に加え、白色の発光ダイオードを組み合わせることも可能である。
【００４１】
図１（Ａ）に示す発光面１０２には、カラースキャンバックライト駆動における説明のため、光源部１０１における第１の光源領域１１２、第２の光源領域１１３及び第３の光源領域１１４に対応する領域として、第１の領域１２１、第２の領域１２２及び第３の領域１２３を示している。発光面１０２では、例えば、ある期間で、第１の光源領域１１２が赤色（Ｒ）の発光ダイオード１１５の点灯、第２の光源領域１１３が緑色（Ｇ）の発光ダイオード１１６の点灯、第３の光源領域１１４が青色（Ｂ）の発光ダイオード１１７の点灯が同時になされることで、第１の領域１２１が赤色の発光、第２の領域１２２が緑色の発光、第３の領域１２３が青色の発光を得るものとなる。なお第１の領域１２１乃至第３の領域１２３における各色の発光は、カラースキャンバックライト駆動では経時的に色が変化する構成となる。
【００４２】
なお図１（Ａ）に図示するように、第１の光源領域１１２乃至第３の光源領域１１４は、光源部１０１を、光源部１０１の長手方向に平行に延伸する向きで、複数の帯状の領域となるように分割したものである。すなわち、光源部１０１の長手方向と第１の光源領域１１２乃至第３の光源領域１１４の長手方向は一致する。同様に第１の領域１２１乃至第３の領域１２３も、第１の光源領域１１２乃至第３の光源領域１１４に併せて、複数の帯状の領域に分割したものである。すなわち、発光面１０２の長手方向と第１の領域１２１乃至第３の領域１２３の長手方向は一致し、第１の光源領域１１２乃至第３の光源領域１１４の長手方向と第１の領域１２１乃至第３の領域１２３の長手方向も一致する。第１の光源領域１１２乃至第３の光源領域１１４が、それぞれ光源１１１での色の点灯を異ならせることで、第１の領域１２１乃至第３の領域１２３は異なる色の発光をすることとなる。
【００４３】
なお発光面１０２の第１の領域１２１乃至第３の領域１２３は、バックライトユニット１００に重畳して設けられる表示素子を有する素子基板の表示領域に対応するものとなる。すなわち、素子基板の表示領域も第１の領域１２１乃至第３の領域１２３と同様にして、表示領域の長手方向に平行に延伸する複数の帯状の領域に分割される。そして素子基板における帯状に分割された表示領域は、それぞれ異なる色の光源に対応した画像信号により制御されることとなる。
【００４４】
拡散シート１０３は入射される光を拡散するためのシートであればよく、一例として光を拡散するための樹脂等が表面に塗布されたシートを用いればよい。なお、光源部１０１と発光面１０２との間に拡散シート１０３を複数設ける構成としてもよい。また複数設けた拡散シート１０３間をエポキシ樹脂または空気等を充填して光の拡散を図ることも可能である。
【００４５】
光学系１０４は、光源１１１より射出される光の強度の分布を加工するために設けられる。具体的には光学系１０４は、光源１１１より射出される光が光源を中心に異方的に広がって、例えば一方の方向の光の強度の分布が狭まるよう光の強度の分布を加工するものである。
【００４６】
なおここでいう光の強度とは、光源より射出される光の単位面積あたりの光束に相当する。光の強度は、光源から遠ざかると光学系による補正がなければ、光源を中心に等方的に広がり、正規分布（ガウス分布）に従った分布（プロファイル）で減衰するものとする。
【００４７】
ここで図１（Ａ）に示す光学系１０４について説明するため、図１（Ｂ）では、発光面１０２での第１の領域１２１、第２の領域１２２及び第３の領域１２３を示しており、矩形状の各領域において長軸方向１３１、短軸方向１３２とすることを表している。
【００４８】
なお分布とは、光源を中心にした光の強度の長軸方向１３１（または短軸方向１３２）における断面での様子に相当する。光の強度の分布は光源から等方的に広がるため長軸方向及び短軸方向であっても、特に補正をしなければ光源からの距離が遠ざかることで強度が小さくなるものである。
【００４９】
図１（Ａ）に示す光学系１０４は、図１（Ｂ）での説明を交えて言えば、光源１１１より射出される光を、帯状に分割された異なる色による表示領域のいずれか一における短軸方向１３２に対して、光の強度の分布を狭めるように加工するものである。また図１（Ａ）に示す光学系１０４は、長軸方向１３１に対して光の強度の分布を均一化するよう加工することで、異方的に拡散シート１０３に向けて光を射出させるためのものである。
【００５０】
すなわち光学系１０４により、第１の光源領域１１２より射出される光は、拡散シート１０３に入射される前に、図１（Ｃ）に示すように長軸方向１３１で分布１４１に加工され、短軸方向１３２で分布１４２に加工される。第２の光源領域１１３及び第３の光源領域１１４より射出される光も、第１の光源領域１１２より射出される光と同様に加工される。
【００５１】
第１の光源領域１１２乃至第３の光源領域１１４より射出される光は、長軸方向１３１で均一な光が要求されるため、長軸方向１３１に光の強度の分布を広げるよう光学系による加工が要求される。他方、第１の光源領域１１２乃至第３の光源領域１１４より射出される光は混色領域の形成を抑制するために、短軸方向１３２に光の強度の分布を狭めるよう光学系による加工が要求される。図１（Ｃ）に示すように、光の強度の分布における短軸方向１３２での光の強度の分布１４２の裾の部分の広がりがなくなるように、光の強度の分布を狭めることで混色領域の形成を抑制することができる。また図１（Ｃ）に示すように、光の強度の分布における長軸方向１３１での光の強度の分布１４１の裾の部分が広がるように、光の強度の分布を広げることで光源領域での光の強度の均一化を図ることができる。
【００５２】
そのため、カラースキャンバックライト駆動を行うバックライトユニットの構成において、混色問題を低減できる。また、混色問題を低減するとともに、長軸方向における発光面での輝度の均一化を図ることができる。
【００５３】
ここで図１（Ａ）に示す光学系１０４の具体的な一例について図２（Ａ）に模式図を示す。図２（Ａ）に示す模式図では、光学系４０１として長軸方向１３１に延伸して形成されるシリンドリカルレンズを短軸方向に複数組み合わせたレンチキュラーレンズ４０２を具備する構成について示している。
【００５４】
なお光学系４０１として図２（Ａ）ではレンチキュラーレンズ４０２を１枚、光源部１０１と拡散シート１０３との間に設ける構成を示したが、複数のレンズを組み合わせて当該構成と同等の光の強度の分布の加工を行うことも可能である。
【００５５】
また図２（Ｂ）は図２（Ａ）に示した模式図における長軸方向１３１の断面図について示しており、光源１１１より射出される光について実線を用いて可視化して示すものである。図２（Ｂ）に示すように、光源１１１より射出される光は、レンチキュラーレンズで構成される光学系４０１により補正されることなく拡散シート１０３に向けて射出されることとなる。すなわち光源１１１からの光が光源からの距離に応じて等方的に広がることとなる。
【００５６】
他方、図２（Ｃ）は図２（Ａ）に示した模式図における短軸方向１３２の断面図について示しており、光源１１１より射出される光について実線を用いて可視化して示すものである。図２（Ｃ）に示すように、光源１１１より射出される光は、レンチキュラーレンズで構成される光学系４０１により短軸方向１３２で領域４１１ほど狭められることとなる。すなわち、短軸方向１３２で図２（Ｃ）中の領域４１１ほど光の強度の分布が狭まることとなる。なお光学系４０１を設けずに光源１１１からの光が光源１１１からの距離に応じて等方的に広がる様子について図２（Ｃ）に破線で図示しており、この場合図２（Ｃ）中の領域４１１は異なる色の光の混色による混合領域を生じさせる領域となる。
【００５７】
次いで光源１１１における赤色（Ｒ）の発光ダイオード１１５、緑色（Ｇ）の発光ダイオード１１６及び青色（Ｂ）の発光ダイオード１１７より射出される光について実線を用いて示し、当該光がレンチキュラーレンズで構成される光学系４０１により短軸方向１３２において拡散シート１０３上で重畳しないようにできる模式図を図２（Ｄ）に示す。図２（Ｃ）でも説明したように、光源１１１の各色の発光ダイオードより射出される光は、レンチキュラーレンズで構成される光学系４０１により短軸方向１３２で狭められることとなる。すなわち、短軸方向１３２で各色の発光ダイオードより射出される光の強度の分布が狭まることとなる。そのため混色領域を形成することなく、光が照射される領域における光の強度を高めることができる。
【００５８】
また図２（Ｄ）では光学系４０１を設けずに光源１１１の各色の発光ダイオードより射出される光が等方的に広がる場合について破線で示している。図２（Ｃ）でも説明したように光学系４０１を設けない場合、各光源より射出する光が重畳することで混合領域が生じることとなり、図２（Ｄ）中の領域４２１が赤色（Ｒ）の発光ダイオード１１５、緑色（Ｇ）の発光ダイオード１１６及び青色（Ｂ）の発光ダイオード１１７より射出される光の混色による混合領域となる。
【００５９】
以上図２（Ｂ）乃至（Ｄ）より、光学系４０１を設けることで短軸方向の光の強度の分布を狭めることができ、混合領域の形成を低減することができる。
【００６０】
なお光学系４０１により狭められる光の強度は、第１の領域１２１、第２の領域１２２及び第３の領域１２３のいずれか一における短軸方向１３２の長さに応じて、光学系４０１と光源１１１の距離または光学系４０１と拡散シート１０３の距離を適宜調整して設計すればよい。
【００６１】
なお図２（Ａ）及び図２（Ｂ）における光学系４０１のシリンドリカルレンズとして光の分散に差のあるレンズを組み合わせたアクロマティックレンズを用いる構成としてもよい。アクロマティックレンズを用いることで、光源におけるＲＧＢの光源によって波長が異なることにより生じるレンズの焦点距離がずれてしまうことを低減することができる。
【００６２】
次いで光学系１０４による光源からの光の強度の分布の加工について図３及び図４を用いてさらに詳細に説明する。
【００６３】
図３（Ａ）、図３（Ｂ）には、光源１１１の一つと光源より射出される光の強度の分布の模式図を示したものである。なお図３（Ａ）は、光源部と拡散シートとの間に光学系を具備しない場合の、光源より射出される光の強度の分布の模式図を示したものである。また図３（Ｂ）は、光源部と拡散シートとの間に光学系を具備する場合の、光源より射出される光の強度の分布の模式図を示したものである。
【００６４】
図３（Ａ）では、光源１１１における赤色（Ｒ）の発光ダイオード１１５、緑色（Ｇ）の発光ダイオード１１６及び青色（Ｂ）の発光ダイオード１１７のいずれか一が点灯することで等方的に広がる光の強度の模式図を表している。また図３（Ａ）では、光源１１１における長軸方向２０１、短軸方向２０２を図示している。具体的に図３（Ａ）では、光の強度２０３乃至強度２０５が長軸方向２０１及び短軸方向２０２にわたって、円環状に広がる様子を模式的に表している。なお図３（Ａ）に示す光の強度２０３乃至強度２０５は、同じ光の強度の点を繋ぎ、光の強度の分布を等高線状に表したものである。
【００６５】
図３（Ｂ）では、光源１１１における赤色（Ｒ）の発光ダイオード１１５、緑色（Ｇ）の発光ダイオード１１６及び青色（Ｂ）の発光ダイオード１１７のいずれか一が点灯することで異方的に広がる光の強度の模式図を表している。また図３（Ｂ）では、光源１１１における長軸方向２１１、短軸方向２１２を図示している。具体的に図３（Ｂ）では、光の強度２１３乃至強度２１５が光学系により、長軸方向２１１では光の強度２１３乃至強度２１５の間隔が広がり、短軸方向２１２に光の強度２１３乃至強度２１５の間隔を狭められて楕円状となる様子を模式的に表している。なお図３（Ｂ）に示す光の強度２１３乃至強度２１５は、同じ光の強度の点を繋ぎ、光の強度の分布を等高線状に表したものである。
【００６６】
前述したように本実施の形態の構成における光学系は、長軸方向に光の強度を均一化するように配置し、短軸方向に光の強度を狭めるものである。すなわち本実施の形態の構成による光学系１０４により光源１１１より射出される光は、拡散シート１０３に入射される前に図３（Ｂ）のように加工されるものである。
【００６７】
具体的に説明するため、図３（Ｃ）には光学系を具備しない構成における光の強度の分布（長軸方向２０１の分布２２１及び短軸方向２０２の分布２２２：図３（Ｃ）中、左側）、及び光学系を具備する構成における光の強度の分布（長軸方向２１１の分布２２３及び短軸方向２１２の分布２２４：図３（Ｃ）中、右側）を示している。なお図３（Ｃ）中でＸ軸は長軸方向、Ｙ軸は短軸方向を表している。
【００６８】
図３（Ｃ）において光学系の有無による光源からの光の強度の分布を見ればわかるように、本実施の形態における光学系は各光源において、短軸方向２０２及び短軸方向２１２での光の強度の分布２２２から分布２２４へと狭まるようにするものである。また本実施の形態における光学系は各光源において、長軸方向２０１及び長軸方向２１１での光の強度の分布２２１から分布２２３へと広がるようにするものである。なお図３（Ｃ）では分布２２１と分布２２３とは同じサイズで示しているが、分布２２３の裾が広がるように加工されることが好ましい。
【００６９】
次いで図３（Ａ）乃至図３（Ｃ）で説明した光源一つ一つの光の強度の分布を光源部全体として考えた場合について図４（Ａ）乃至図４（Ｃ）を用いて説明する。
【００７０】
図４（Ａ）では図３（Ａ）で示した光源部と拡散シートとの間に光学系を具備しない場合の光源部の模式図である。図４（Ａ）は図３（Ａ）と同様に、光学系を配置していないため光の強度３０１の分布が円環状に広がる様子を表している。
【００７１】
図４（Ｂ）では図３（Ｂ）で示した光源部と拡散シートとの間に光学系を具備する場合の光源部の模式図である。図４（Ｂ）は図３（Ｂ）と同様に、光学系を配置しているため光の強度３０２の分布が楕円状に広がる様子を表している。図４（Ｂ）に示すように、本実施の形態の構成における光学系は光源より射出される光を、長軸方向に光の強度を均一化するように配置し、短軸方向に光の強度を狭めるものである。
【００７２】
具体的に説明するため、図４（Ｃ）には光源一つ一つの光の強度の分布を光源部の第１の光源領域１１２でみた場合の光の強度の分布（長軸方向１３１の分布１４１及び短軸方向１３２の分布１４２）、及び光源一つ一つの光の強度の分布（長軸方向１３１の分布２２３及び短軸方向１３２の分布２２４）を示している。なお図４（Ｃ）中でＸ軸は長軸方向、Ｙ軸は短軸方向を表している。すなわち図４（Ｃ）に示す図において、長軸方向１３１の光の強度の分布１４１は光の強度の分布２２３の重ね合わせによって実現される。また短軸方向１３２の光の強度の分布１４２は光の強度の分布２２４の重ね合わせによって実現される。
【００７３】
従って長軸方向１３１では光の強度の分布１４１の均一性を図ることができる。また短軸方向１３２では光の強度の分布１４２を狭め、光の強度の分布における裾の広がりを抑えることができるため、混色領域における混色の抑制をすることができる。なお短軸方向１３２では光学系により光の強度の分布１４２を狭めて光の強度の分布における裾の広がりを抑えた後に、拡散シートによって光の強度の分布１４２の均一性を図ることができる。
【００７４】
なお短軸方向１３２では光の強度の分布１４２を狭めることで、光の強度の分布における裾の部分が黒色の領域になることもあるが、黒色の領域の面積を、当該領域に対応する光源を消灯する場合の面積に比べて小さくすることができ、表示に問題ない。
【００７５】
以上説明したように、本実施の形態で説明したカラースキャンバックライト駆動を行うバックライトユニットの構成は、混色問題を低減できる。また、混色問題を低減するとともに、長軸方向における発光面での輝度の均一化を図ることができる。
【００７６】
本実施の形態は、他の実施の形態に記載した構成と適宜組み合わせて実施することが可能である。
【００７７】
（実施の形態２）
本実施の形態では、上記バックライトユニットと重畳して設けられる表示素子を有する素子基板を含む表示装置のブロック図について説明する。なお素子基板が有する表示素子として液晶素子として説明を行うものとする。なお本実施の形態の構成において、表示素子は光の透過または非透過を制御する素子であればよく、液晶素子の他にも例えばＭＥＭＳ（Ｍｉｃｒｏ  Ｅｌｅｃｔｒｏ  Ｍｅｃｈａｎｉｃａｌ  Ｓｙｓｔｅｍｓ）素子を用いてもよい。
【００７８】
図５に示すブロック図は、表示制御回路５０１、バックライトユニット５０２及び素子基板５０３を示している。
【００７９】
図５に示すブロック図の表示制御回路５０１は、映像制御信号及び画像信号（図５中、ｄａｔａ）が外部より入力される。また表示制御回路５０１は、走査線駆動回路５０４及びデータ線駆動回路５０５を駆動する表示駆動制御回路５０７と、バックライトユニット５０２を構成する光源を前述の画像信号に併せて点灯するための信号を生成するバックライト駆動制御回路５０８と、を有する。
【００８０】
図５に示すブロック図の素子基板５０３は、走査線駆動回路５０４と、データ線駆動回路５０５と、表示領域５０６と、を有する。
【００８１】
なお必ずしも表示領域５０６と同じ基板上に、走査線駆動回路５０４及びデータ線駆動回路５０５を有する構成でなくてもよい。また走査線駆動回路５０４は、表示領域５０６の複数の画素領域において、それぞれ各行の画素を同時に選択して駆動する方式においては、複数に分割された走査線駆動回路を具備する構成となる。
【００８２】
表示駆動制御回路５０７は、画像信号を元に表示領域５０６で表示を行うために所定のタイミングで走査線駆動回路５０４及びデータ線駆動回路５０５を駆動するための回路である。またバックライト駆動制御回路５０８は、走査線駆動回路５０４及びデータ線駆動回路５０５を駆動するタイミングに応じてバックライトユニット５０２を制御するための回路である。
【００８３】
なお表示制御回路５０１には他にも、入力される画像信号について調整及び／または変換するための回路を具備する構成もある。具体的には、入力される画像信号ｄａｔａが所定の色の信号の画像信号でなければ変換し、色毎にガンマ補正、輝度変換等の画像処理を行うための回路で具備する構成がある。なお所定の色の画像信号は、バックライトユニットが有する光源の色に対応させた画像信号である。
【００８４】
以上説明したように、本実施の形態の構成を上記実施の形態１の構成と組み合わせることで、バックライト部の光源を複数の領域に分割して複数色の点灯とする際、光源境界部の色の混色を低減することができ、表示品位の向上を図ることができる。
【００８５】
本実施の形態は、他の実施の形態に記載した構成と適宜組み合わせて実施することが可能である。
【００８６】
（実施の形態３）
本実施の形態では、上記実施の形態で説明したバックライトユニットと組み合わせて用いる表示素子を有する素子基板について説明する。なお上記実施の形態で説明したバックライトユニットと本実施の形態で説明する液晶素子を有する素子基板とを組み合わせて液晶表示装置という。
【００８７】
液晶表示装置の素子基板の外観及び断面について、図６を用いて説明する。図６（Ａ１）（Ａ２）は、第１の基板４００１上に形成されたトランジスタ４０１０、４０１１及び液晶素子４０１３を、第２の基板４００６との間にシール材４００５によって封止したパネルの上面図であり、図６（Ｂ）は、図６（Ａ１）（Ａ２）のＭ−Ｎにおける断面図に相当する。
【００８８】
第１の基板４００１上に設けられた画素部４００２と、走査線駆動回路４００４とを囲むようにして、シール材４００５が設けられている。また、画素部４００２と、走査線駆動回路４００４の上に第２の基板４００６が設けられている。画素部４００２と、走査線駆動回路４００４とは、第１の基板４００１とシール材４００５と第２の基板４００６とによって、液晶層４００８と共に封止されている。
【００８９】
また、図６（Ａ１）は第１の基板４００１上のシール材４００５によって囲まれている領域とは異なる領域に、別途用意された基板上に単結晶半導体膜又は多結晶半導体膜で形成された信号線駆動回路４００３が実装されている。なお、図６（Ａ２）は信号線駆動回路の一部を第１の基板４００１上に酸化物半導体を用いたトランジスタで形成する例であり、第１の基板４００１上に信号線駆動回路４００３ｂが形成され、かつ別途用意された基板上に単結晶半導体膜又は多結晶半導体膜で形成された信号線駆動回路４００３ａが実装されている。
【００９０】
なお、別途形成した駆動回路の接続方法は、特に限定されるものではなく、ＣＯＧ方法、ワイヤボンディング方法、またはＴＡＢ方法などを用いることができる。図６（Ａ１）は、ＣＯＧ方法により信号線駆動回路４００３を実装する例であり、図６（Ａ２）は、ＴＡＢ方法により信号線駆動回路４００３を実装する例である。
【００９１】
また、第１の基板４００１上に設けられた画素部４００２と、走査線駆動回路４００４は、トランジスタを複数有しており、図６（Ｂ）では、画素部４００２に含まれるトランジスタ４０１０と、走査線駆動回路４００４に含まれるトランジスタ４０１１とを例示している。トランジスタ４０１０、４０１１上には絶縁層４０２０、４０２１が設けられている。
【００９２】
トランジスタ４０１０、４０１１は、特に限定されず様々なトランジスタを適用することができる。トランジスタ４０１０、４０１１のチャネル層は、シリコン（アモルファスシリコン、微結晶シリコン又はポリシリコン）等の半導体や酸化物半導体を用いることができる。
【００９３】
また、第１の基板４００１上に画素電極層４０３０及び共通電極層４０３１が設けられ、画素電極層４０３０は、トランジスタ４０１０と電気的に接続されている。液晶素子４０１３は、画素電極層４０３０、共通電極層４０３１、及び液晶層４００８を含む。
【００９４】
また、ブルー相を示す液晶層４００８を有する液晶表示装置において、基板に概略平行（すなわち水平な方向）な電界を生じさせて、基板と平行な面内で液晶分子を動かして、階調を制御する方式を用いることができる。このような方式として、本実施の形態では、図６に示すようなＩＰＳ（Ｉｎ  Ｐｌａｎｅ  Ｓｗｉｔｃｈｉｎｇ）モードで用いる電極構成を適用する場合を示している。なお、ＩＰＳモードに限られず、ＦＦＳ（Ｆｒｉｎｇｅ  Ｆｉｅｌｄ  Ｓｗｉｔｃｈｉｎｇ）モードで用いる電極構成を適用することも可能である。
【００９５】
なお、第１の基板４００１、第２の基板４００６としては、透光性を有するガラス、プラスチックなどを用いることができる。プラスチックとしては、ポリエーテルサルフォン（ＰＥＳ）、ポリイミド、ＦＲＰ（Ｆｉｂｅｒｇｌａｓｓ−Ｒｅｉｎｆｏｒｃｅｄ  Ｐｌａｓｔｉｃｓ）板、ＰＶＦ（ポリビニルフルオライド）フィルム、ポリエステルフィルムまたはアクリル樹脂フィルムを用いることができる。また、アルミニウムホイルをＰＶＦフィルムやポリエステルフィルムで挟んだ構造のシートを用いることもできる。
【００９６】
また、液晶層４００８の膜厚（セルギャップ）を制御するために設けられている柱状のスペーサ４０３５は、絶縁膜を選択的にエッチングすることにより設けることができる。なお、柱状のスペーサ４０３５の代わりに、球状のスペーサを用いていてもよい。
【００９７】
図６においては、トランジスタ４０１０、４０１１上方を覆うように遮光層４０３４が第２の基板４００６側に設けられている。遮光層４０３４を設けることにより、トランジスタ特性の安定化の効果を高めることができる。この遮光層４０３４は第１の基板４００１に設けられてもよい。この場合、第２の基板４００６側から紫外線を照射して高分子安定化を行ったときに遮光層４０３４上の液晶もブルー相で高分子安定化することができる。
【００９８】
保護膜として機能する絶縁層４０２０でトランジスタ４０１０、４０１１を覆う構成としてもよいが、特に限定されない。
【００９９】
なお、保護膜は、大気中に浮遊する有機物や金属物、水蒸気などの汚染不純物の侵入を防ぐためのものであり、緻密な膜が好ましい。保護膜は、スパッタ法を用いて、酸化珪素膜、窒化珪素膜、酸化窒化珪素膜、窒化酸化珪素膜、酸化アルミニウム膜、窒化アルミニウム膜、酸化窒化アルミニウム膜、又は窒化酸化アルミニウム膜の単層、又は積層で形成すればよい。
【０１００】
また、保護膜を形成した後に、半導体層のアニール（３００℃〜４００℃）を行ってもよい。
【０１０１】
画素電極層４０３０、共通電極層４０３１は、酸化タングステンを含むインジウム酸化物、酸化タングステンを含むインジウム亜鉛酸化物、酸化チタンを含むインジウム酸化物、酸化チタンを含むインジウム錫酸化物、インジウム錫酸化物（ＩＴＯ）、インジウム亜鉛酸化物、酸化ケイ素を添加したインジウム錫酸化物などの透光性を有する導電性材料を用いることができる。
【０１０２】
また、画素電極層４０３０、共通電極層４０３１として、導電性高分子（導電性ポリマーともいう）を含む導電性組成物を用いて形成することができる。
【０１０３】
また、別途形成された信号線駆動回路４００３と、走査線駆動回路４００４または画素部４００２に与えられる各種信号及び電位は、ＦＰＣ４０１８から供給されている。
【０１０４】
また、トランジスタは静電気などにより破壊されやすいため、ゲート線またはソース線に対して、駆動回路保護用の保護回路を同一基板上に設けることが好ましい。保護回路は、酸化物半導体を用いた非線形素子を用いて構成することが好ましい。
【０１０５】
図６では、接続端子電極４０１５が、画素電極層４０３０と同じ導電膜から形成され、端子電極４０１６は、トランジスタ４０１０、４０１１のソース電極層及びドレイン電極層と同じ導電膜で形成されている。
【０１０６】
接続端子電極４０１５は、ＦＰＣ４０１８が有する端子と、異方性導電膜４０１９を介して電気的に接続されている。
【０１０７】
また、図６においては、信号線駆動回路４００３を別途形成し、第１の基板４００１に実装している例を示しているが、この構成に限定されない。走査線駆動回路を別途形成して実装してもよいし、信号線駆動回路の一部または走査線駆動回路の一部のみを別途形成して実装してもよい。
【０１０８】
図７は液晶表示装置の断面構造の一例であり、素子基板２６００と対向基板２６０１がシール材２６０２により固着され、その間にトランジスタ等を含む素子層２６０３、液晶層２６０４が設けられる。
【０１０９】
上記実施の形態で説明したように、バックライトユニットの光源として複数の色を発光する発光ダイオードを配置する。複数種の発光色を発光する発光ダイオードとしては、赤の発光ダイオード２９１０Ｒ、緑の発光ダイオード２９１０Ｇ、青の発光ダイオード２９１０Ｂを配置する。
【０１１０】
対向基板２６０１の外側には偏光板２６０６が設けられ、素子基板２６００の外側には偏光板２６０７、拡散シート２６１３Ａ及び光学系２６１３Ｂが配設されている。光源は赤の発光ダイオード２９１０Ｒ、緑の発光ダイオード２９１０Ｇ、青の発光ダイオード２９１０Ｂと反射板２６１１により構成され、回路基板２６１２に設けられたバックライト駆動制御回路２９１２は、フレキシブル配線基板２６０９により素子基板２６００の配線回路部２６０８と接続され、さらにコントロール回路や電源回路などの外部回路が組みこまれている。
【０１１１】
このバックライト駆動制御回路２９１２によって、ある期間では、バックライトユニットの光源部を分割された光源領域毎に異なる色とし、制御することができる。個別に発光ダイオードを発光させることによって、フィールドシーケンシャル方式の液晶表示装置とすることができる。
【０１１２】
以上説明したように、本実施の形態の構成に上記実施の形態１の構成を組み合わせることで、バックライト部の光源部を複数の光源領域に分割して複数色の点灯とする際、複数の光源領域の境界部において色の混色を低減することができ、表示品位の向上を図ることができる。
【０１１３】
本実施の形態は、他の実施の形態に記載した構成と適宜組み合わせて実施することが可能である。
【０１１４】
（実施の形態４）
本明細書に開示するバックライトユニットを具備する表示装置は、さまざまな電子機器（遊技機も含む）に適用することができる。電子機器としては、例えば、テレビジョン装置（テレビ、またはテレビジョン受信機ともいう）、コンピュータ用などのモニタ、デジタルカメラ、デジタルビデオカメラ等のカメラ、デジタルフォトフレーム、携帯電話機（携帯電話、携帯電話装置ともいう）、携帯型ゲーム機、携帯情報端末、音響再生装置、パチンコ機などの大型ゲーム機などが挙げられる。上記実施の形態で説明した表示装置を具備する電子機器の例について説明する。
【０１１５】
図８（Ａ）は、電子書籍の一例を示している。図８（Ａ）に示す電子書籍は、筐体１７００及び筐体１７０１の２つの筐体で構成されている。筐体１７００及び筐体１７０１は、蝶番１７０４により一体になっており、開閉動作を行うことができる。このような構成により、書籍のような動作を行うことが可能となる。
【０１１６】
筐体１７００には表示領域１７０２が組み込まれ、筐体１７０１には表示領域１７０３が組み込まれている。表示領域１７０２及び表示領域１７０３は、続き画面を表示する構成としてもよいし、異なる画面を表示する構成としてもよい。異なる画面を表示する構成とすることで、例えば右側の表示領域（図８（Ａ）では表示領域１７０２）に文章を表示し、左側の表示領域（図８（Ａ）では表示領域１７０３）に画像を表示することができる。
【０１１７】
また、図８（Ａ）では、筐体１７００に操作部等を備えた例を示している。例えば、筐体１７００は、電源入力端子１７０５、操作キー１７０６、スピーカ１７０７等を備えている。操作キー１７０６により、頁を送ることができる。なお、筐体の表示領域と同一面にキーボードやポインティングディバイス等を備える構成としてもよい。また、筐体の裏面や側面に、外部接続用端子（イヤホン端子、ＵＳＢ端子、及びＵＳＢケーブル等の各種ケーブルと接続可能な端子等）、記録媒体挿入部等を備える構成としてもよい。さらに、図８（Ａ）に示す電子書籍は、電子辞書としての機能を持たせた構成としてもよい。
【０１１８】
図８（Ｂ）は、本明細書に開示するバックライトユニットを具備する表示装置を用いたデジタルフォトフレームの一例を示している。例えば、図８（Ｂ）に示すデジタルフォトフレームは、筐体１７１１に表示領域１７１２が組み込まれている。表示領域１７１２は、各種画像を表示することが可能であり、例えば、デジタルカメラ等で撮影した画像データを表示させることで、通常の写真立てと同様に機能させることができる。
【０１１９】
なお、図８（Ｂ）に示すデジタルフォトフレームは、操作部、外部接続用端子（ＵＳＢ端子、ＵＳＢケーブル等の各種ケーブルと接続可能な端子等）、記録媒体挿入部等を備える構成とする。これらの構成は、表示領域と同一面に組み込まれていてもよいが、側面や裏面に備えるとデザイン性が向上するため好ましい。例えば、デジタルフォトフレームの記録媒体挿入部に、デジタルカメラで撮影した画像データを記憶したメモリを挿入して画像データを取り込み、取り込んだ画像データを表示領域１７１２に表示させることができる。
【０１２０】
図８（Ｃ）は、本明細書に開示するバックライトユニットを具備する表示装置を用いたテレビジョン装置の一例を示している。図８（Ｃ）に示すテレビジョン装置は、筐体１７２１に表示領域１７２２が組み込まれている。表示領域１７２２により、映像を表示することが可能である。また、ここでは、スタンド１７２３により筐体１７２１を支持した構成を示している。
【０１２１】
図８（Ｃ）に示すテレビジョン装置の操作は、筐体１７２１が備える操作スイッチや、別体のリモコン操作機により行うことができる。リモコン操作機が備える操作キーにより、チャンネルや音量の操作を行うことができ、表示領域１７２２に表示される映像を操作することができる。また、リモコン操作機に、当該リモコン操作機から出力する情報を表示する表示領域を設ける構成としてもよい。
【０１２２】
図８（Ｄ）は、本明細書に開示するバックライトユニットを具備する表示装置を用いた携帯電話機の一例を示している。図８（Ｄ）に示す携帯電話機は、筐体１７３１に組み込まれた表示領域１７３２の他、操作ボタン１７３３、操作ボタン１７３７、外部接続ポート１７３４、スピーカ１７３５、及びマイク１７３６等を備えている。
【０１２３】
図８（Ｄ）に示す携帯電話機は、表示領域１７３２がタッチパネルになっており、指等の接触により、表示領域１７３２の表示内容を操作することができる。また、電話の発信、或いはメールの作成等は、表示領域１７３２を指等で接触することにより行うことができる。
【０１２４】
本実施の形態は、他の実施の形態に記載した構成と適宜組み合わせて実施することが可能である。
【実施例】
【０１２５】
上記実施の形態で説明した構成のバックライトユニットを実際に作製し、点灯させた。
【０１２６】
図１０は、実際に作製したバックライトユニットの外観写真である。図１０を見るとわかるように、バックライトユニット上には帯状に光が射出されるよう、光源部に光源をライン状に設けて作製した。また各光源はＲＧＢの色の光を切り替えて射出できるＬＥＤを用いた。また図１０では、光源部に重畳して、光の強度の分布を狭めるための光学系となるレンチキュラーレンズを設けた。
【０１２７】
図１１（Ａ）は、図１０で示したバックライトユニットを点灯させた際の写真である。なお図１１（Ａ）では点灯する光源の色を緑にして発光させた。比較例として図１１（Ｂ）では、光学系を設けないバックライトユニットで光源を点灯させた際の写真である。
【０１２８】
図１１（Ａ）に示す光学系のあるバックライトユニットの輝度を測定したところ、６０２４ｃｄ／ｍ２であった。一方、図１１（Ｂ）に示す光学系のないバックライトユニットの輝度を測定したところ、４０３９ｃｄ／ｍ２であった。光学系のある上記実施の形態のバックライトユニットの構成では、輝度の均一化が図られるとともに、輝度を向上できるといった効果を確認できた。
【０１２９】
また、図１１（Ｃ）は、１ラインのみ光源を点灯させた際の光源の拡大写真である。図１１（Ｃ）の左側には、光学系であるレンチキュラーレンズが設けられていない際の光源の様子を示し、図１１（Ｃ）の右側には、光学系であるレンチキュラーレンズが設けられている際の光源の様子を示している。なお図１１（Ｃ）の左側の輝度を測定したところ１０００ｃｄ／ｍ２であり、図１１（Ｃ）の右側の輝度を測定したところ１５２１ｃｄ／ｍ２であった。
【０１３０】
図１１（Ｃ）から、光学系のある上記実施の形態のバックライトユニットの構成では、光源周辺でのコントラスト比を向上させるとともに、輝度を向上できるといった効果を確認できた。なお実際にコントラスト比を測定したところ、光学系であるレンチキュラーレンズが設けられていない際のコントラスト比が１６３：１であり、光学系であるレンチキュラーレンズが設けられた際のコントラスト比が１８７：１であった。
【０１３１】
また光学系のある上記実施の形態のバックライトユニットの構成では、光源周辺でのコントラスト比を向上させるとともに、ＮＴＳＣ比を改善できるといった効果を確認できた。なお実際にＮＴＳＣ比を測定したところ、光学系であるレンチキュラーレンズが設けられていない際のＮＴＳＣ比が７６．３６％であり、光学系であるレンチキュラーレンズが設けられた際のＮＴＳＣ比が９０．０９％であった。
【符号の説明】
【０１３２】
１００    バックライトユニット
１０１    光源部
１０２    発光面
１０３    拡散シート
１０４    光学系
１１１    光源
１１２    第１の光源領域
１１３    第２の光源領域
１１４    第３の光源領域
１１５    発光ダイオード
１１６    発光ダイオード
１１７    発光ダイオード
１２１    第１の領域
１２２    第２の領域
１２３    第３の領域
１３１    長軸方向
１３２    短軸方向
１４１    分布
１４２    分布
２０１    長軸方向
２０２    短軸方向
２０３    強度
２０４    強度
２０５    強度
２１１    長軸方向
２１２    短軸方向
２１３    強度
２１４    強度
２１５    強度
２２１    分布
２２２    分布
２２３    分布
２２４    分布
３０１    強度
３０２    強度
４０１    光学系
４０２    レンチキュラーレンズ
４１１    領域
４２１    領域
５０１    表示制御回路
５０２    バックライトユニット
５０３    素子基板
５０４    走査線駆動回路
５０５    データ線駆動回路
５０６    表示領域
５０７    表示駆動制御回路
５０８    バックライト駆動制御回路
９００    バックライトユニット
９０１    光源部
９０２    発光面
９０３    拡散シート
９１１    光源
９１２    第１の光源領域
９１３    第２の光源領域
９１４    第３の光源領域
９１５    発光ダイオード
９１６    発光ダイオード
９１７    発光ダイオード
９２１    第１の領域
９２２    第２の領域
９２３    第３の領域
９３１    長軸方向
９３２    短軸方向
９４１    混色領域
１７００    筐体
１７０１    筐体
１７０２    表示領域
１７０３    表示領域
１７０４    蝶番
１７０５    電源入力端子
１７０６    操作キー
１７０７    スピーカ
１７１１    筐体
１７１２    表示領域
１７２１    筐体
１７２２    表示領域
１７２３    スタンド
１７３１    筐体
１７３２    表示領域
１７３３    操作ボタン
１７３４    外部接続ポート
１７３５    スピーカ
１７３６    マイク
１７３７    操作ボタン
２６００    素子基板
２６０１    対向基板
２６１２    回路基板
２６０２    シール材
２６０３    素子層
２６０４    液晶層
２６０６    偏光板
２６０７    偏光板
２６０８    配線回路部
２６０９    フレキシブル配線基板
２６１１    反射板
２９１２    バックライト駆動制御回路
４００１    基板
４００２    画素部
４００３    信号線駆動回路
４００４    走査線駆動回路
４００５    シール材
４００６    基板
４００８    液晶層
４０１０    トランジスタ
４０１１    トランジスタ
４０１３    液晶素子
４０１５    接続端子電極
４０１６    端子電極
４０１８    ＦＰＣ
４０１９    異方性導電膜
４０２０    絶縁層
４０３０    画素電極層
４０３１    共通電極層
４０３４    遮光層
４０３５    スペーサ
２６１３Ａ    拡散シート
２６１３Ｂ    光学系
２９１０Ｂ    発光ダイオード
２９１０Ｇ    発光ダイオード
２９１０Ｒ    発光ダイオード
４００３ａ    信号線駆動回路
４００３ｂ    信号線駆動回路
【図１】
0005840450.tif 000002
【図２】
0005840450.tif 000003
【図３】
0005840450.tif 000004
【図４】
0005840450.tif 000005
【図５】
0005840450.tif 000006
【図６】
0005840450.tif 000007
【図７】
0005840450.tif 000008
【図８】
0005840450.tif 000009
【図９】
0005840450.tif 000010
【図１０】
0005840450.tif 000011
【図１１】
0005840450.tif 000012